(57)【特許請求の範囲】
【請求項１】
未定着トナーを担持するシートを，一対の定着部材の定着ニップに通すことで，トナー像をシート上に定着する定着処理を行う定着装置において，
前記定着処理時には，電力の供給を受けて前記一対の定着部材の少なくとも一方を加熱する定着加熱部と，
前記定着加熱部により加熱を受ける前記定着部材に向けて設けられている感熱部を備えるとともに，前記感熱部の温度が予め定めた作動温度以上であるときに前記定着加熱部への電力の供給経路を遮断する通電遮断部と，
前記感熱部までの距離が前記定着加熱部よりも近い位置に設けられ，前記感熱部を前記作動温度未満の温度範囲内で加熱する感熱加熱部と，
前記感熱加熱部が正常に動作する正常状態であるか否かを判定する判定制御を行う感熱加熱判定部と，
前記感熱部の温度を指標する感熱温度指標値を出力する感熱温度出力部と，
前記定着加熱部に電力を供給する電力モードについて，
前記定着加熱部に前記定着部材を加熱するための通常の電力を供給する通常モードと，
前記定着加熱部に供給する電力を前記通常モードのときよりも制限する制限モードとを切り替える定着電力制御部とを有し，
前記定着電力制御部は，
前記通常モードを初期設定モードとし，
前記判定制御により前記感熱加熱部が前記正常状態であると判定された場合，および，前記感熱温度出力部が出力する前記感熱温度指標値が予め定めた閾値以上である場合の少なくとも一方に該当したときには，前記通常モードを維持し，
前記判定制御により前記感熱加熱部が前記正常状態でないと判定され，かつ，前記感熱温度出力部が出力する前記感熱温度指標値が前記閾値未満であるときには，前記通常モードから前記制限モードに切り替えるものであることを特徴とする定着装置。
【請求項２】
請求項１に記載の定着装置において，
前記感熱加熱部は，電力の供給を受けて発熱するものであり，
前記感熱加熱判定部は，
前記感熱加熱部に電力が供給されている電力供給期間に，その供給されている電力を指標する電力指標値を検出して出力する電力指標値出力部を有するとともに，
前記電力指標値出力部が出力する前記電力指標値が，予め定めた正常範囲内であるときには，前記正常状態であると判定し，
前記電力指標値が，前記正常範囲外であるときには，前記正常状態ではないと判定するものであることを特徴とする定着装置。
【請求項３】
請求項１または請求項２に記載の定着装置において，
前記定着電力制御部は，
前記制限モードでは，前記定着加熱部に電力を供給しないものであることを特徴とする定着装置。
【請求項４】
請求項１または請求項２に記載の定着装置において，
前記定着電力制御部は，
前記制限モードでは，前記通常モードのときよりも少ない電力を前記定着加熱部に供給するものであることを特徴とする定着装置。
【請求項５】
請求項４に記載の定着装置において，
前記定着加熱部により加熱を受ける前記定着部材の温度を指標する定着温度指標値を出力する定着温度出力部を有し，
前記定着電力制御部は，
前記制限モードでは，
前記定着温度出力部が出力する前記定着温度指標値の温度が高いときには，低いときよりも，前記定着加熱部の温度上昇率が前記通常モードのときに対して低くなるように，前記定着加熱部に電力を供給するものであることを特徴とする定着装置。
【請求項６】
シートを搬送する搬送部と，
トナー像を形成するとともに，形成したトナー像をシートに転写する画像形成部と，
シートの搬送方向について前記画像形成部よりも下流に設けられ，請求項１から請求項５までのいずれかに記載の定着装置とを有することを特徴とする画像形成装置。
【発明の詳細な説明】
【技術分野】
【０００１】
本発明は，定着装置および画像形成装置に関する。さらに詳細には，シート上のトナー像を加熱しつつ加圧することにより定着させる定着装置および画像形成装置に関する。
【背景技術】
【０００２】
従来より，複写機やプリンター，ファクシミリ，またはこれらの機能を複合的に備える複合機等の画像形成装置では，シート上に転写されたトナー像を定着装置によって定着させることにより，シートに画像を形成している。定着装置は，一対の定着部材を圧接することにより形成される定着ニップにシートを通過させつつ，その通過中のシートを加熱しつつ加圧することにより定着処理を行う。このため，定着装置には，定着ニップを定着処理を行う定着温度まで加熱するための加熱源が設けられている。
【０００３】
また，定着装置には，加熱源による加熱温度が，定着処理を行う定着処理温度を超えて過度に上昇してしまうことを抑制するため，サーモスタットなどの通電遮断部が設けられているものがある。すなわち，通電遮断部は，加熱源による過熱が生じ，通電遮断部の感熱部が作動温度以上まで上昇したときに，加熱源への電力供給を遮断する。これにより，加熱源の温度が過度に上昇しないようになされている。また，通電遮断部は，加熱源による過熱が生じたときには，できるだけ早期に加熱源への電力供給を停止できることが好ましい。
【０００４】
例えば，特許文献１には，通電遮断部の環境温度に応じて，通電遮断部と加熱源により加熱される定着ローラーとの距離を異なるものとする技術が開示されている。すなわち，特許文献１には，通電遮断部の環境温度が高いほど，通電遮断部を定着ローラーから遠ざける技術が記載されている。これにより，定着ローラーの温度が十分に上昇していない状態であっても，加熱源による過熱が生じたときには，通電遮断部によって速やかに加熱源への電力の供給を停止させることができるとされている。
【先行技術文献】
【特許文献】
【０００５】
【特許文献１】特開２００８−０７６９１２号公報
【発明の概要】
【発明が解決しようとする課題】
【０００６】
ところで，近年，加熱源の加熱による温度上昇率は，より高いものであることが求められている。ウォームアップ時間や，定着部材を定着処理温度まで上昇させる時間などの短縮を図るためである。これに伴い，加熱源による過熱が生じたときには，加熱源による加熱を，より早期に停止させることが必要になっている。
【０００７】
しかしながら，通電遮断部の温度上昇の程度は，加熱源よりも緩やかなものとなる。通電遮断部の温度上昇は，加熱源から定着部材へ熱が移動し，さらに定着部材から通電遮断部へ熱が移動する時間だけ，加熱源の温度上昇よりも遅れてしまうからである。また，上記の特許文献１のような技術では，通電遮断部と定着ローラーとの間に隙間を設けている。これにより，定着ローラーから通電遮断部へ熱が移動する時間は長くなってしまいがちである。このため，加熱源の温度が作動温度に到達してから，通電遮断部の温度が作動温度に到達するまでの時間を短縮することは，容易ではない。
【０００８】
また，上記の特許文献１のような技術では，通電遮断部を移動させる構成が故障等により機能しない場合には，定着ローラーの温度が十分に上昇していない状態で加熱源の過熱が生じた際に，通電遮断部が適切に機能しないおそれがある。よって，加熱源による過熱が生じた際に，通電遮断部によって加熱源による加熱を適切に停止させることができないことがあった。
【０００９】
本発明は，前記した従来の技術が有する問題点の解決を目的としてなされたものである。すなわちその課題とするところは，加熱源による過熱を適切に抑制することができる定着装置および画像形成装置を提供することである。
【課題を解決するための手段】
【００１０】
この課題の解決を目的としてなされた本発明の定着装置は，未定着トナーを担持するシートを，一対の定着部材の定着ニップに通すことで，トナー像をシート上に定着する定着処理を行う定着装置であって，定着処理時には，電力の供給を受けて一対の定着部材の少なくとも一方を加熱する定着加熱部と，定着加熱部により加熱を受ける定着部材に向けて設けられている感熱部を備えるとともに，感熱部の温度が予め定めた作動温度以上であるときに定着加熱部への電力の供給経路を遮断する通電遮断部と，感熱部までの距離が定着加熱部よりも近い位置に設けられ，感熱部を作動温度未満の温度範囲内で加熱する感熱加熱部と，感熱加熱部が正常に動作する正常状態であるか否かを判定する判定制御を行う感熱加熱判定部と，感熱部の温度を指標する感熱温度指標値を出力する感熱温度出力部と，定着加熱部に電力を供給する電力モードについて，定着加熱部に定着部材を加熱するための通常の電力を供給する通常モードと，定着加熱部に供給する電力を通常モードのときよりも制限する制限モードとを切り替える定着電力制御部とを有し，定着電力制御部は，通常モードを初期設定モードとし，判定制御により感熱加熱部が正常状態であると判定された場合，および，感熱温度出力部が出力する感熱温度指標値が予め定めた閾値以上である場合の少なくとも一方に該当したときには，通常モードを維持し，判定制御により感熱加熱部が正常状態でないと判定され，かつ，感熱温度出力部が出力する感熱温度指標値が閾値未満であるときには，通常モードから制限モードに切り替えるものであることを特徴とする定着装置である。
【００１１】
本発明の定着装置では，通常モードでは，感熱加熱部により加熱を行うことにより，感熱部の温度上昇率を高くすることができる。これにより，加熱源の温度が作動温度に到達してから，通電遮断部の温度が作動温度に到達するまでの時間を短縮することができる。また、制限モードでは，例えば，定着加熱部による加熱を停止させることで，定着加熱部の過熱を抑制することができる。あるいは，制限モードでは，定着加熱部による加熱を温度上昇率が低くなるように行わせ，感熱加熱部による加熱がない場合の感熱部によっても，その温度上昇を適切に追従できるようにする。よって，本発明の定着装置では，加熱源による過熱を適切に抑制することができる。さらに，感熱温度出力部が出力する感熱温度指標値が予め定めた閾値以上であるときには，感熱加熱部が正常状態であるか否かに関わらず，通常モードを維持する。これは，ある程度，感熱部の温度が高い場合には，感熱加熱部による加熱がない場合であっても，感熱部の温度が，通常モードの定着加熱部の温度上昇を適切に追従できるからである。
【００１２】
また，上記に記載の定着装置において，感熱加熱部は，電力の供給を受けて発熱するものであり，感熱加熱判定部は，感熱加熱部に電力が供給されている電力供給期間に，その供給されている電力を指標する電力指標値を検出して出力する電力指標値出力部を有するとともに，電力指標値出力部が出力する電力指標値が，予め定めた正常範囲内であるときには，正常状態であると判定し，電力指標値が，正常範囲外であるときには，正常状態ではないと判定するものであってもよい。
【００１４】
また，上記に記載の定着装置において，定着電力制御部は，制限モードでは，定着加熱部に電力を供給しないものであることが好ましい。定着加熱部による加熱を停止させることで，定着加熱部の過熱を抑制することができるからである。
【００１５】
また，上記に記載の定着装置において，定着電力制御部は，制限モードでは，通常モードのときよりも少ない電力を定着加熱部に供給するものであることが好ましい。定着加熱部による加熱を温度上昇率が低くなるように行わせ，感熱加熱部による加熱がない場合の感熱部によっても，その温度上昇を適切に追従できるようにすることができるからである。また，制限モードによっても，定着処理を続行することができるからである。
【００１６】
また，上記に記載の定着装置において，定着加熱部により加熱を受ける定着部材の温度を指標する定着温度指標値を出力する定着温度出力部を有し，定着電力制御部は，制限モードでは，定着温度出力部が出力する定着温度指標値の温度が高いときには，低いときよりも，定着加熱部の温度上昇率が通常モードのときに対して低くなるように，定着加熱部に電力を供給するものであることが好ましい。すなわち，定着部材の温度が高くなるほど定着加熱部の温度上昇率を低くすることで，定着処理温度までは，短時間で温度を上昇させることができる。そして，定着加熱部の過熱が生じた場合には，定着加熱部の温度が上昇することを抑制することができるからである。
【００１７】
また，本発明は，シートを搬送する搬送部と，トナー像を形成するとともに，形成したトナー像をシートに転写する画像形成部と，シートの搬送方向について画像形成部よりも下流に設けられ，上記に記載の定着装置とを有することを特徴とする画像形成装置にもおよぶ。
【発明の効果】
【００１８】
本発明によれば，加熱源による過熱を適切に抑制することができる定着装置および画像形成装置が提供されている。
【図面の簡単な説明】
【００１９】
【図１】実施形態に係る画像形成装置の概略構成図である。
【図２】実施形態に係る画像形成装置の制御構成の概略図である。
【図３】実施形態に係る定着装置の概略構成図である。
【図４】実施形態に係る定着装置の制御構成の概略図である。
【図５】定着ヒーターの過熱が生じたときの温度推移を説明するための図である。
【図６】第１の参考形態に係る通常モードと制限モードとの切り替えの手順を示すフローチャートである。
【図７】第１の参考形態に係る正常時を示すタイミングチャートである。
【図８】第１の参考形態に係る異常時を示すタイミングチャートである。
【図９】第２の参考形態に係る通常モードと制限モードとの切り替えの手順を示すフローチャートである。
【図１０】加熱開始時刻における温度が高い状態で定着ヒーターの過熱が生じたときの温度推移を説明するための図である。
【図１１】第１の形態に係る通常モードと制限モードとの切り替えの手順を示すフローチャートである。
【図１２】第２の形態に係る通常モードと制限モードとの切り替えの手順を示すフローチャートである。
【図１３】第２の形態に係る制限モードにおいて定着ヒーターの過熱が生じたときの温度推移を説明するための図である。
【発明を実施するための形態】
【００２０】
以下，本発明を具体化した実施の形態について，添付図面を参照しつつ詳細に説明する。本形態は，電子写真方式のプリンターにおいて本発明を具体化したものである。
【００２１】
［第１の参考形態］
図１に，本形態に係る画像形成装置１の概略構成を示す。画像形成装置１は，中間転写ベルト３０を有する，いわゆるタンデム方式のカラープリンターである。中間転写ベルト３０は導電性を有する無端状のベルト部材であり，その図１中両端部がローラー３１，３２によって支持されている。画像形成時には，図１中右側のローラー３１が反時計回りに回転駆動される。これにより，中間転写ベルト３０および図１中左側のローラー３２はそれぞれ，図中に矢印で示す方向に従動回転する。
【００２２】
中間転写ベルト３０のうち，図１中右側のローラー３１に支持されている部分の外周面には，２次転写ローラー４０が設けられている。２次転写ローラー４０は，中間転写ベルト３０へ向けて軸と垂直の方向（図１中左向き）に圧接されている。中間転写ベルト３０と２次転写ローラー４０とが接触している部分には，中間転写ベルト３０上のトナー像を用紙Ｐに転写させる転写ニップＮ１が形成されている。２次転写ローラー４０は，画像形成時には，回転する中間転写ベルト３０への圧接による摩擦力によって従動回転する。
【００２３】
また，中間転写ベルト３０のうち，図１中左側のローラー３２に支持されている部分の外周面には，ベルトクリーナー４１が設けられている。ベルトクリーナー４１は中間転写ベルト３０の外周面に圧接されている。また，その圧接によって接触している部分により，転写ニップＮ１において用紙Ｐに転写されなかった転写残トナーなどを回収する回収領域４２が形成されている。
【００２４】
中間転写ベルト３０の図１中下部には左から右に向かって順に，イエロー（Ｙ），マゼンタ（Ｍ），シアン（Ｃ），ブラック（Ｋ）の各色の画像形成部１０Ｙ，１０Ｍ，１０Ｃ，１０Ｋが配置されている。画像形成部１０Ｙ，１０Ｍ，１０Ｃ，１０Ｋはいずれも，該当色のトナー像を形成して中間転写ベルト３０上に転写するためのものである。画像形成部１０Ｙ，１０Ｍ，１０Ｃ，１０Ｋはいずれも，その構成は同じである。このため，図１では，画像形成部１０Ｙによって代表して符号をつけている。
【００２５】
画像形成部１０Ｙ，１０Ｍ，１０Ｃ，１０Ｋは，円筒状の静電潜像担持体である感光体１１，および，その周囲に配置された帯電器１２，現像装置１４，および感光体クリーナー１６を有している。また，感光体１１と中間転写ベルト３０を挟んで対向する位置には，１次転写ローラー１５が配置されている。さらに，各色の画像形成部１０Ｙ，１０Ｍ，１０Ｃ，１０Ｋの図１中下方には，露光装置１３が配置されている。
【００２６】
帯電器１２は，感光体１１の表面を均一に帯電させるためのものである。露光装置１３は，画像データに基づいたレーザー光を各感光体１１の表面に照射させ，静電潜像を形成するためのものである。現像装置１４は，収容しているトナーを感光体１１の表面に付与するためのものである。
【００２７】
１次転写ローラー１５は，中間転写ベルト３０へ向けて軸と垂直の方向（図１中下向き）に圧接されている。この圧接により，中間転写ベルト３０と各感光体１１とが接触している部分にはそれぞれ，各色の感光体１１上のトナー像を中間転写ベルト３０上に転写させる１次転写ニップが形成されている。感光体クリーナー１６は，感光体１１上から中間転写ベルト３０上に転写されなかったトナーを回収するためのものである。
【００２８】
なお，図１では，帯電器１２としてローラー形状をしたローラー帯電方式のものを示しているが，本発明はこれに限るものではない。コロナ放電方式の帯電チャージャー，ブレード状の帯電部材，またはブラシ状の帯電部材等を用いても良い。また，感光体クリーナー１６として，板状でその一端部が感光体１１の外周面に接触しているものを示しているが，本発明はこれに限るものではない。その他のクリーニング部材，例えば固定ブラシ，回転ブラシ，ローラーまたはそれらのうちの複数の部材を組み合わせたものを使用することができる。あるいは，感光体１１上の未転写トナーを現像装置１４により回収するクリーナーレス方式を採用すれば，感光体クリーナー１６はなくてもよい。
【００２９】
また，中間転写ベルト３０の図１中上方には，各色のトナーを収容したホッパー１７Ｙ，１７Ｍ，１７Ｃ，１７Ｋが配置されている。これらに収容されている各色のトナーはそれぞれ，該当色の現像装置１４へと適宜補給される。
【００３０】
中間転写ベルト３０の回転方向における画像形成部１０Ｋの下流側であって転写ニップＮ１の上流側の位置には，中間転写ベルト３０上に転写されたトナー像の像濃度を検出するための濃度センサー２０が設けられている。濃度センサー２０は，中間転写ベルト３０の外周面を検出位置としている。濃度センサー２０は，例えば画像濃度の調整に用いられる，検出位置に向かって光を照射する投光部とその反射光を受光する受光部とを有するものである。
【００３１】
画像形成装置１の下部には，着脱可能な給紙カセット５１が装着されている。給紙カセット５１の図１中右側より上方に向かっては，搬送経路５０が設けられている。そして，給紙カセット５１に積載により収容された用紙Ｐは，その最上部のものより１枚ずつ，給紙ローラー５２によって搬送経路５０に送り出されるようになっている。
【００３２】
また，給紙ローラー５２により送り出された用紙Ｐの搬送経路５０には，１対のレジストローラー５３，転写ニップＮ１，定着装置６０，排紙ローラー５４がこの順で配置されている。搬送経路５０のさらに下流側である画像形成装置１の上面には，排紙部５５が設けられている。レジストローラー５３は，用紙Ｐを転写ニップＮ１へ送り出すタイミングを調整するためのものである。定着装置６０は，定着ニップＮ２において用紙Ｐを加熱しつつ加圧することにより，用紙Ｐに転写されたトナー像の定着処理を行うためのものである。
【００３３】
次に，本形態の画像形成装置１による，通常の画像形成動作の一例について簡単に説明する。以下の説明は，給紙カセット５１に収容されている用紙Ｐに，４色のトナーを用いてカラー画像を形成する場合における画像形成動作の一例である。
【００３４】
カラー画像の形成時には，まず，中間転写ベルト３０および各色の感光体１１はそれぞれ，図１に矢印で示す向きに所定の周速度で回転される。そして，感光体１１の外周面は，帯電器１２によりほぼ一様に帯電される。帯電された感光体１１の外周面には，露光装置１３によって画像データに応じた光が投射され，静電潜像が形成される。続いて，静電潜像は現像装置１４によって現像され，感光体１１上にはトナー像が形成される。
【００３５】
各感光体１１上に形成されたトナー像は，１次転写ローラー１５によって中間転写ベルト３０上に転写（１次転写）される。これにより，中間転写ベルト３０上には，イエロー，マゼンタ，シアン，ブラックのトナー像がこの順で重ね合わされる。そして，重ね合わされた４色のトナー像は，中間転写ベルト３０の回転によって転写ニップＮ１に搬送される。また，中間転写ベルト３０に転写されず，１次転写ローラー１５を過ぎた後も感光体１１上に残留している転写残トナーは，感光体クリーナー１６によって掻き取られ，感光体１１上から除去される。
【００３６】
一方，給紙カセット５１に収容されている用紙Ｐは，最上部のものから１枚ずつ搬送経路５０に引き出される。引き出された用紙Ｐは，搬送経路５０に沿って転写ニップＮ１に搬送される。用紙Ｐの転写ニップＮ１への突入タイミングは，中間転写ベルト３０上のトナー像の転写ニップＮ１への突入タイミングと一致するように，レジストローラー５３によって調整される。これにより，転写ニップＮ１において，重ね合わされた４色のトナー像が用紙Ｐに転写（２次転写）される。
【００３７】
トナー像が転写された用紙Ｐは，さらに搬送経路５０の下流側へと搬送される。つまり，用紙Ｐは，定着装置６０によってトナー像が定着された後，排紙ローラー５４によって排紙部５５に排出される。なお，転写ニップＮ１を通過した後も中間転写ベルト３０上に残留する転写残トナーは，回収領域４２においてベルトクリーナー４１によって回収される。これにより，中間転写ベルト３０上から除去される。
【００３８】
図２に，画像形成装置１の制御構成の概略を示す。画像形成装置１は，各部の制御を行うために，エンジン部２とコントローラー部３とを有している。エンジン部２は，全体の制御処理を行うＣＰＵ４と，本体に付属されている不揮発性メモリ５とを有している。
【００３９】
不揮発性メモリ５には，画像形成装置１の画像形成などを行うための各種の値が記憶されている。例えば，給紙カセット５１から定着ニップＮ２までの搬送経路５０上の距離，用紙Ｐや形成されたトナー像を搬送する速度であるシステム速度など，設計上既知の値が記憶されている。また，定着装置６０による定着処理により，トナー像が用紙Ｐに適切に定着させることのできる定着処理温度なども記憶されている。
【００４０】
ＣＰＵ４は，不揮発性メモリ５に記憶されている値に基づいて，画像形成装置１の各部を制御する。例えば，各露光装置１３による静電潜像の形成開始のタイミングを調整することにより，中間転写ベルト３０上にズレのないカラートナー像を形成する。また画像形成部１０Ｙ，１０Ｍ，１０Ｃ，１０Ｋにより画像を形成するタイミングと，給紙カセット５１から用紙Ｐを給紙するタイミングとを調整することにより，これらの転写ニップＮ１への突入タイミングが合うように制御する。
【００４１】
また，本形態のＣＰＵ４は，定着ヒーター制御部８およびバイメタルヒーター制御部９を有している。定着ヒーター制御部８およびバイメタルヒーター制御部９は，定着装置６０によって適切に定着処理がなされるように，定着装置６０を制御するためのものである。これら，定着ヒーター制御部８およびバイメタルヒーター制御部９については，後に詳述する。
【００４２】
またエンジン部２は，画像形成装置１に含まれている各種ユニット６を制御するとともに，各種ユニット付属の不揮発性メモリ７の書き込みや読み出しを行う。各種ユニット６には例えば，イメージングユニットが含まれる。そして，各種ユニット付属の不揮発性メモリ７について，例えばイメージングユニットに付属のメモリには，そのイメージングユニットにより画像形成がなされた枚数などが記憶されている。
【００４３】
コントローラー部３は，外部のパソコンなどに接続されて指示入力を受けるものである。例えば，画像形成指令をパソコンから受信することにより，画像形成装置１には画像形成ジョブが発生する。さらに，エンジン部２とコントローラー部３とで，ドットカウンタ値などの各種の情報がやりとりされる。
【００４４】
次に，本形態の定着装置６０について説明する。図３は，画像形成装置１の定着装置６０の概略構成を示す断面図である。定着装置６０は，加圧ローラー６１，定着パッド６２，定着ベルト６３，定着ヒーター６４を有している。定着パッド６２および加圧ローラー６１はともに，図３において奥行き方向に長い部材であり，互いに平行に配置されている。
【００４５】
定着パッド６２，定着ベルト６３，定着ヒーター６４は，定着ニップＮ２を通過する用紙Ｐのトナー像を坦持している面の側に配置されている。そして，定着パッド６２，定着ベルト６３，定着ヒーター６４は，定着ニップＮ２を通過する用紙Ｐを加熱するための加熱側の構成である。
【００４６】
一方，加熱側の構成と搬送経路５０を挟んで対向する加圧側の加圧ローラー６１は，定着ベルト６３へ向けて軸と垂直の方向に圧接されている。これにより，無端状の定着ベルト６３は，定着パッド６２と加圧ローラー６１との間に挟み込まれている。そして，定着ベルト６３と加圧ローラー６１との圧接箇所には，用紙Ｐに定着処理を行う定着ニップＮ２が形成されている。
【００４７】
また，加圧ローラー６１は，定着処理が行われる際には，図３に矢印で示す向きに回転駆動される。これにより，定着ベルト６３についても，定着処理時に回転する加圧ローラー６１の圧接による摩擦力によって従動回転する。
【００４８】
定着ヒーター６４は，定着ベルト６３の内周側に配置されており，定着ベルト６３を加熱するためのものである。なお，定着ヒーター６４と定着ニップＮ２との間には，反射板６５が設けられている。反射板６５は，定着ヒーター６４により，定着ニップＮ２の箇所が直接，加熱されることを抑制するためのものである。
【００４９】
つまり，本形態の定着装置６０において，定着ベルト６３の定着ニップＮ２付近以外の図３において左側の部分は，定着ヒーター６４と対面している。よって，定着ベルト６３の定着ニップＮ２付近以外の部分は，定着ヒーター６４により直接，加熱される。このため，本形態の定着装置６０は，ウォーミングアップ時間や，定着処理温度までの温度上昇の時間が短い構成のものである。
【００５０】
また，図３に示すように，本形態の定着装置６０は，温度センサー６６を有している。温度センサー６６は，例えば非接触の赤外線センサーなどであり，定着ベルト６３の表面温度を検出することができるものである。
【００５１】
さらに，本形態の定着装置６０は，図３に示すように，通電遮断部７０を有している。通電遮断部７０は，定着ベルト６３と間隔を設けつつ，その近傍に設けられている。すなわち，通電遮断部７０が定着ベルト６３に非接触であることにより，定着ベルト６３の表面に傷などが付いてしまうことはない。また，通電遮断部７０は，その温度が作動温度以上となったときに，定着ヒーター６４への電力の供給を遮断することのできるものである。なお，通電遮断部７０については，次の図４において詳述する。
【００５２】
図４に，本形態の定着装置６０の制御構成の概略を示す。前述したように，ＣＰＵ４は，定着ヒーター制御部８およびバイメタルヒーター制御部９を有している。また，図４には，定着装置６０の構成のうち，定着ベルト６３，定着ヒーター６４，温度センサー６６，通電遮断部７０を示している。さらに，図４には，定着ヒーター６４に電力を供給するための電源である定着ヒーター電源６７を示している。
【００５３】
定着ヒーター制御部８は，定着処理時において，温度センサー６６により検出される定着ベルト６３の温度が，予め定めた定着処理温度となるように，定着ヒーター電源６７を制御する。温度センサー６６が検出した定着ベルト６３の温度は，ＣＰＵ４に設けられた温度出力部６８により出力されている。
【００５４】
例えば，本形態の定着ヒーター制御部８は，定着ヒーター電源６７より定着ヒーター６４に電力の供給を開始させる加熱開始時刻の決定を行う。加熱開始時刻は，定着ニップＮ２における定着ベルト６３の温度が定着ヒーター６４の加熱により定着処理温度まで上昇する定着上昇時間によりに決定することができる。すなわち，加熱開始時刻は，給紙カセット５１から送り出された用紙Ｐが定着ニップＮ２に到達する時刻よりも定着上昇時間以上前のタイミングに決定することができる。定着上昇時間は，例えば，予め実験行うことなどにより取得した時間を，本体に付属されている不揮発性メモリ５に記憶させておき，その記憶させている値を用いることができる。よって，定着ヒーター制御部８は，画像形成装置１に入力された画像形成のジョブにより，加熱開始時刻を決定することができる。
【００５５】
さらに，本形態の定着ヒーター制御部８は，通常モードと制限モードとを切り替えつつ，定着ヒーター電源６７より定着ヒーター６４に供給される電力の制御を行う。なお，定着ヒーター制御部８は，初期設定モードを通常モードとするものである。また具体的に，定着ヒーター制御部８は，通常モードでは，定着ヒーター６４が定着ベルト６３を加熱するために必要とする通常の電力を，定着ヒーター電源６７に供給させる。なお，本形態の定着ヒーター制御部８は，通常モードでは，定着ベルト６３の温度ができるだけ短時間で定着処理温度まで上昇するように，定着ヒーター電源６７に電力を供給させる。これに対し，本形態の定着ヒーター制御部８は，制限モードでは，定着ヒーター電源６７より定着ヒーター６４に電力が供給されないようにする。これら通常モードと制限モードとの切り替えについては，後に詳述する。
【００５６】
また，図４に示すように，本形態の通電遮断部７０は，バイメタル７１，接点部７２，バイメタルヒーター７３を有している。バイメタル７１は，通電遮断部７０の作動温度未満と，通電遮断部７０の作動温度以上とでは，形状が異なるものである。すなわち，バイメタル７１は，作動温度未満から作動温度以上に加熱されたときに変形し，作動温度以上から作動温度未満に冷却されたときには元の形状に戻る特性のものである。なお，バイメタル７１が変形する作動温度は，定着処理温度よりも高い温度である。
【００５７】
通電遮断部７０の接点部７２は，定着ヒーター電源６７と定着ヒーター６４とが接続されている回路の途中に設けられている。接点部７２は，図４に実線で示す通電位置と，二点鎖線で示す遮断位置とをとることのできるものである。具体的には，接点部７２は，通電位置では，定着ヒーター電源６７が定着ヒーター６４に電力を供給することができる状態とする。
【００５８】
一方，接点部７２は，遮断位置では，定着ヒーター電源６７により定着ヒーター６４に電力が供給されない状態とすることができる。そして，接点部７２は，バイメタル７１の温度が作動温度未満であるときには通電位置をとり，バイメタル７１の温度が作動温度以上となって変形したときに，そのバイメタル７１の変形によって遮断位置をとるように構成されている。すなわち，本形態の通電遮断部７０は，バイメタル７１の変形による機械式のサーモスタットである。
【００５９】
そして，本形態の通電遮断部７０は，バイメタル７１作動温度未満であるときには，定着ヒーター６４を，加熱を行うことができる加熱可能状態とする。一方，通電遮断部７０は，バイメタル７１が作動温度以上であるときには作動し，定着ヒーター６４を，加熱を行うことができない加熱不能状態とする。
【００６０】
また，通電遮断部７０は，バイメタル７１を定着ベルト６３に向けて設けられている。このため，通電遮断部７０は，定着ベルト６３が定着ヒーター６４によって作動温度以上の温度にまで加熱される定着ヒーター６４の過熱が生じたときに作動し，定着ヒーター６４を加熱不能状態とすることができる。
【００６１】
本形態の通電遮断部７０に設けられているバイメタルヒーター７３は，バイメタルヒーター制御部９の制御により，発熱することができる。また，バイメタルヒーター７３は，バイメタルヒーター７３とバイメタル７１との距離が，定着ヒーター６４とバイメタル７１との距離よりも短い距離となる位置に設けられている。つまり，バイメタルヒーター７３は，バイメタル７１の近傍に設けられているバイメタル７１を加熱するためのヒーターである。また，バイメタルヒーター７３は，発熱時には，バイメタル７１を作動温度未満の温度で加熱することができるものである。なお，本形態のバイメタルヒーター７３は，バイメタル７１を定着処理温度未満の温度で加熱するものである。
【００６２】
本形態では，バイメタルヒーター７３として，電力の供給により発熱する抵抗発熱体を使用している。このため，バイメタルヒーター７３に電力を供給する電源を有している。バイメタルヒーター７３の電源としては，定着ヒーター電源６７を用いてもよい。あるいは，定着ヒーター６４とは別の電源を使用することもできる。
【００６３】
また，本形態のバイメタルヒーター７３は，温度が上昇するほど，抵抗値が上昇するものである。さらに，本形態のバイメタルヒーター７３は，上限温度に到達すると，抵抗値の上昇により，それ以上，温度が上昇しない特性を有するものである。そして，本形態では，バイメタルヒーター７３の上限温度は，作動温度未満の温度とされている。このため，通電遮断部７０は，バイメタルヒーター７３のみの加熱により作動し，定着ヒーター６４を加熱不能状態とすることはない。
【００６４】
ここで，定着装置６０において定着ヒーター６４の過熱が生じてしまった場合には，定着ヒーター６４を速やかに加熱不能状態にすることが好ましい。定着ヒーター６４の過熱が生じている場合，定着ヒーター６４が，定着ヒーター制御部８によって適切に制御されていないおそれがあるからである。さらに，定着装置６０は，前述したように，短時間で定着ベルト６３の温度を上昇させることのできる仕様のものである。このため，本形態では，定着ヒーター６４による過熱が生じた場合，より早期に定着ヒーター６４による加熱を停止することが好ましい。
【００６５】
また，定着ヒーター６４の発熱による熱は，定着ベルト６３を介してバイメタル７１へ移動する。また，本形態においては，バイメタル７１は，定着ベルト６３との間に隙間を設けて配置されている。このため，定着ヒーター６４の加熱によるバイメタル７１の温度の上昇率は，定着ヒーター６４の温度の上昇率よりも低いものである。特に，バイメタル７１の温度が低い場合には，バイメタル７１の温度の上昇率は，定着ヒーター６４の温度の上昇率に比較して低くなりがちである。
【００６６】
図５には，定着ヒーター６４の過熱が生じたときの温度推移を示している。図５において，横軸に時間を，縦軸に温度を示している。また，図５には，二点鎖線により定着ベルト６３の温度推移を，実線および破線によりバイメタル７１の温度推移を示している。また，実線は，バイメタルヒーター７３によってバイメタル７１の加熱を行った場合のバイメタル７１の温度推移である。これに対し，破線は，バイメタルヒーター７３による加熱を行わなかった場合のバイメタル７１の温度推移である。なお，図５の二点鎖線は，定着ヒーター６４による加熱を，通常モードにより行った場合に過熱が生じたときの温度推移である。
【００６７】
図５において，定着ベルト６３の温度は，加熱開始時刻ｔ１より室温Ｔａから上昇し，定着上昇時間が経過した時刻ｔ３に，定着処理温度Ｔｃに到達している。さらに，定着ベルト６３の温度は，定着ヒーター６４の過熱が生じている図５においては，時刻ｔ３以降にも上昇し続けている。
【００６８】
また，実線で示すバイメタルヒーター７３の加熱がある場合のバイメタル７１の温度は，二点鎖線で示す定着ベルト６３の温度よりもやや遅れているものの，ほとんど定着ベルト６３と同じ温度上昇率で上昇している。そして，バイメタルヒーター７３の加熱がある場合のバイメタル７１の温度は，時刻ｔ４において，作動温度Ｔｄに到達している。このため，バイメタルヒーター７３の加熱がある場合には，時刻ｔ４において，定着ヒーター６４が加熱不能状態とされる。なお，定着ヒーター６４が加熱不能状態とされる時刻ｔ４において，定着ベルト６３の温度は，温度Ｔｅである。
【００６９】
一方，破線で示すバイメタルヒーター７３の加熱がない場合のバイメタル７１の温度は，二点鎖線で示す定着ベルト６３の温度よりも大きく遅れて上昇している。すなわち，バイメタルヒーター７３の加熱がない場合，バイメタル７１の温度は，図５に示すように，加熱開始時刻ｔ１の後，温度Ｔｂに到達する時刻ｔ２まで，ほとんど上昇していない。このため，バイメタルヒーター７３の加熱がない場合には，バイメタル７１の温度は，定着ベルト６３の温度の上昇を適切に追従できていない。
【００７０】
なお，バイメタルヒーター７３の加熱がない場合のバイメタル７１の温度は，温度Ｔｂに到達した時刻ｔ２以降においては，定着ベルト６３の温度上昇率とほとんど同じ上昇率で上昇している。そして，バイメタルヒーター７３の加熱がない場合のバイメタル７１の温度は，時刻ｔ５において，作動温度Ｔｄに到達している。このため，バイメタルヒーター７３の加熱がない場合には，時刻ｔ５において，定着ヒーター６４が加熱不能状態とされる。
【００７１】
そして，バイメタルヒーター７３の加熱がない場合に定着ヒーター６４が加熱不能状態とされる時刻ｔ５は，バイメタルヒーター７３の加熱がある場合に定着ヒーター６４が加熱不能状態とされる時刻ｔ４よりも後である。また，定着ヒーター６４の過熱が生じているため，時刻ｔ４から時刻ｔ５の間にも，定着ベルト６３の温度は上昇し続けている。よって，バイメタルヒーター７３の加熱がない場合に定着ヒーター６４が加熱不能状態となる時刻ｔ５における温度Ｔｆは，バイメタルヒーター７３の加熱がある場合に定着ヒーター６４が加熱不能状態とされる時刻ｔ４における温度Ｔｅよりも高い温度である。
【００７２】
つまり，本形態の定着装置６０においては，図５に示すように，バイメタルヒーター７３によりバイメタル７１を加熱することで，バイメタル７１の温度の上昇率を高めている。これにより，バイメタル７１の温度が，定着ヒーター６４の温度の上昇に適切に追従できるようにされている。そして，定着装置６０では，バイメタル７１の温度が低い場合であっても，定着ヒーター６４の過熱が生じたときの，定着ヒーター６４の温度が作動温度に到達してからバイメタル７１の温度が作動温度に到達するまでの時間が，短くなるようにされている。よって，定着ヒーター６４の過熱が生じた場合にも，定着ヒーター６４がそれほど高温になる前に，加熱不能状態にできるようにされている。
【００７３】
また，本形態の定着装置６０のＣＰＵ４は，図４に示すように，電力指標値出力部７４を有している。本形態の電力指標値出力部７４は，バイメタル７１に電力が供給されている電力供給期間において，そのバイメタル７１に供給されている電力を指標する指標値を検出して出力することのできるものである。
【００７４】
具体的に，本形態の電力指標値出力部７４は，電力供給期間において，バイメタル７１に供給される電力の電流値を検出して出力することのできるものである。なお，電力指標値出力部７４は，電力供給期間において，バイメタル７１に供給される電力の電圧値を検出して出力するものであってもよい。
【００７５】
さらに，本形態のバイメタルヒーター制御部９は，バイメタルヒーター７３が正常に動作する正常状態であるか否かを判定する判定制御を行うことができるものである。本形態のバイメタルヒーター制御部９は，判定制御を，電力指標値出力部７４が出力する電力指標値に基づいて行うものである。
【００７６】
具体的には，バイメタルヒーター制御部９は，判定制御において，電力指標値出力部７４が出力する電力指標値が予め定めた正常範囲内であるか否かを判定する。そして，電力指標値が正常範囲内である場合，バイメタルヒーター７３が正常状態であると判定する。一方，電力指標値が正常範囲外である場合には，バイメタルヒーター７３が正常に動作することができない異常状態であると判定する。バイメタルヒーター７３の異常状態には，バイメタルヒーター７３に電力を供給する回路における断線やコネクタの外れ，バイメタルヒーター７３の故障などが考えられる。
【００７７】
次に，本形態の定着ヒーター制御部８による，定着処理時における通常モードと制限モードとの切り替えについて，図６に示すフローチャートを用いて説明する。まず，画像形成装置１に画像形成のジョブが入力されると，ＣＰＵ４は，加熱を開始する指示を，定着ヒーター制御部８およびバイメタルヒーター制御部９に出力する（Ｓ１０１）。
【００７８】
バイメタルヒーター制御部９は，加熱開始の指示を受け，バイメタルヒーター７３によるバイメタル７１の加熱を開始する（Ｓ１０２）。続いて，定着ヒーター制御部８は，加熱開始の指示を受け，定着ヒーター６４による定着ベルト６３の加熱を開始する（Ｓ１０３）。なお，定着ヒーター制御部８は，初期設定モードである通常モードにより，定着ヒーター６４による加熱を開始する。
【００７９】
次に，バイメタルヒーター制御部９は，判定制御を行う（Ｓ１０４）。すなわち，バイメタルヒーター制御部９は，電力指標値出力部７４が出力するバイメタルヒーター７３の電力指標値により，バイメタルヒーター７３が正常状態および異常状態のいずれであるかを判定する。
【００８０】
判定制御において正常状態であると判定された場合（Ｓ１０４：ＹＥＳ），定着ヒーター制御部８は，初期設定モードである通常モードを維持する（Ｓ１０５）。そして，定着ヒーター制御部８は，温度センサー６６が出力する定着ベルト６３の温度が定着処理温度以上であるか否かを判定する（Ｓ１０６）。
【００８１】
定着ベルト６３の温度が定着処理温度以上となったとき（Ｓ１０６：ＹＥＳ），ＣＰＵ４は，加熱を終了する指示を，定着ヒーター制御部８およびバイメタルヒーター制御部９に出力する（Ｓ１０８）。バイメタルヒーター制御部９は，加熱終了の指示を受け，バイメタルヒーター７３によるバイメタル７１の加熱を終了する（Ｓ１０９）。また，定着ヒーター制御部８は，加熱終了の指示を受け，定着ヒーター６４による定着ベルト６３の加熱を終了する（Ｓ１０９）。また，トナーが転写された用紙Ｐは，定着ベルト６３が定着処理温度以上である状態のときに，定着ニップＮ２を通過するように搬送される。
【００８２】
一方，判定制御において異常状態であると判定された場合（Ｓ１０４：ＮＯ），定着ヒーター制御部８は，通常モードから制限モードへと切り替える（Ｓ１０７）。制限モードへと切り替えられた場合，ＣＰＵ４は，加熱を終了する指示を，定着ヒーター制御部８およびバイメタルヒーター制御部９に出力する（Ｓ１０８）。バイメタルヒーター制御部９は，加熱終了の指示を受け，バイメタルヒーター７３によるバイメタル７１の加熱を終了する（Ｓ１０９）。また，定着ヒーター制御部８は，加熱終了の指示を受け，定着ヒーター６４による定着ベルト６３の加熱を終了する（Ｓ１０９）。また，本形態のＣＰＵ４は，制限モードに切り替えられた場合，画像形成のジョブの実行についても終了する。
【００８３】
なお，バイメタルヒーター７３が異常状態である場合には，前述したように，バイメタルヒーター７３に電力を供給する回路における断線やコネクタの外れ，バイメタルヒーター７３の故障などが考えられる。よって，判定制御により異常状態であると判定された場合には，バイメタルヒーター７３が異常状態であることをユーザーに警告することとしてもよい。警告は，例えば，画像形成装置１に表示パネルやランプを設けることにより行うことができる。
【００８４】
図７には，バイメタルヒーター７３が正常状態である正常時におけるタイミングチャートを示している。つまり，正常時には，図７に示すように，時刻ｔ１１に加熱開始の指示がなされ，時刻ｔ１２にバイメタルヒーター７３が加熱を開始する。正常状態であるバイメタルヒーター７３が加熱を開始したことにより，電力指標値出力部７４は，正常範囲内の電力指標値の出力を開始する。
【００８５】
続いて，時刻ｔ１に定着ヒーター６４が加熱を開始する。また，時刻ｔ１３に行われる判定制御では，バイメタルヒーター７３が正常状態であることにより，その異常は検出されていない。その後，定着ベルト６３が定着処理温度以上となった時刻ｔ３において加熱終了の指示がなされ，時刻ｔ６に定着ヒーター６４およびバイメタルヒーター７３が加熱を終了する。
【００８６】
一方，図８には，バイメタルヒーター７３が異常状態である異常時におけるタイミングチャートを示している。つまり，異常時には，図８に示すように，時刻ｔ１１に加熱開始の指示がなされ，時刻ｔ１２にバイメタルヒーター７３が加熱を開始する。異常状態であるバイメタルヒーター７３が加熱を開始した場合，その電力指標値は，正常範囲外のものである。図８では，断線により電力指標値が０である場合を示している。
【００８７】
続いて，時刻ｔ１に定着ヒーター６４が加熱を開始する。また，時刻ｔ１３に行われる判定制御では，バイメタルヒーター７３が異常状態であることにより，異常の検出がなされる。よって，時刻ｔ１４において加熱終了の指示がなされ，時刻ｔ１５に定着ヒーター６４およびバイメタルヒーター７３が加熱を終了する。なお，定着ヒーター６４およびバイメタルヒーター７３が加熱を終了する時刻１５は，定着ヒーター６４による加熱が続行されていた場合に定着ベルト６３が定着処理温度以上となる時刻ｔ３よりも前である。
【００８８】
すなわち，本形態の定着装置６０は，判定制御によりバイメタルヒーター７３が正常状態であると判定された場合には，通常モードを維持する。そして通常モードにより画像形成のジョブが実行される。一方，判定制御によりバイメタルヒーター７３が異常状態であると判定されたことによって初期設定モードを維持しない場合には，制限モードに切り替える。
【００８９】
バイメタルヒーター７３が正常状態である場合，通常モードにより適切に定着処理がなされる。また，バイメタルヒーター７３が正常状態である場合には，定着ヒーター６４の過熱が生じた際に，通電遮断部７０により適切に，定着ヒーター６４を加熱不能状態とすることができる。バイメタルヒーター７３により，適切にバイメタル７１が加熱されているからである。
【００９０】
一方，バイメタルヒーター７３が異常状態である場合には，定着ヒーター６４の過熱が生じた際に，通電遮断部７０により適切に，定着ヒーター６４を加熱不能状態とすることができないおそれがある。バイメタルヒーター７３が異常状態であることにより，バイメタル７１の温度上昇率が低いことがあるからである。そこで，本形態では，バイメタルヒーター７３が異常状態である場合，定着ヒーター６４への電力の供給を終了させることにより，定着ヒーター６４の過熱が生じないようにされている。
【００９１】
これにより，本形態の定着装置６０では，バイメタルヒーター７３が正常状態および異常状態のいずれの状態であっても，定着ヒーター６４による過熱が適切に抑制されている。
【００９２】
［第２の参考形態］
次に，第２の参考形態について説明する。本形態においても，画像形成装置の構成などについては，第１の参考形態と同じである。具体的には，画像形成装置の定着装置の構成，定着ヒーター制御部８により制御される通常モードや制限モード，バイメタルヒーター制御部９による判定制御などについては，第１の参考形態のものと同様である。本形態では，定着処理時における通常モードと制限モードとの切り替えに係る手順が，第１の参考形態と異なる。
【００９３】
本形態の定着ヒーター制御部８による，定着処理時における通常モードと制限モードとの切り替えについて，図９に示すフローチャートを用いて説明する。まず，本形態においても，画像形成装置１に画像形成のジョブが入力されると，ＣＰＵ４は，加熱を開始する指示を出力する（Ｓ２０１）。バイメタルヒーター制御部９は，加熱開始の指示を受け，バイメタルヒーター７３によるバイメタル７１の加熱を開始する（Ｓ２０２）。
【００９４】
次に，本形態のバイメタルヒーター制御部９は，第１の参考形態と異なり，判定制御を行う（Ｓ２０３）。すなわち，バイメタルヒーター制御部９は，電力指標値出力部７４が出力するバイメタルヒーター７３の電力指標値により，バイメタルヒーター７３が正常状態および異常状態のいずれであるかを判定する。判定制御において正常状態であると判定された場合（Ｓ２０３：ＹＥＳ），定着ヒーター制御部８は，初期設定モードである通常モードを維持する（Ｓ２０４）。
【００９５】
続いて，加熱開始の指示を受けている定着ヒーター制御部８は，定着ヒーター６４による定着ベルト６３の加熱を開始する（Ｓ２０５）。なお，定着ヒーター制御部８は，初期設定モードが維持されているため，通常モードにより，定着ヒーター６４による加熱を開始する。そして，定着ヒーター制御部８は，温度センサー６６が出力する定着ベルト６３の温度が定着処理温度以上であるか否かを判定する（Ｓ２０６）。
【００９６】
定着ベルト６３の温度が定着処理温度以上となったとき（Ｓ２０６：ＹＥＳ），ＣＰＵ４は，加熱を終了する指示を，定着ヒーター制御部８およびバイメタルヒーター制御部９に出力する（Ｓ２０７）。定着ヒーター制御部８は，加熱終了の指示を受け，定着ヒーター６４による定着ベルト６３の加熱を終了する（Ｓ２０８）。さらに，バイメタルヒーター制御部９は，加熱終了の指示を受け，バイメタルヒーター７３によるバイメタル７１の加熱を終了する（Ｓ２１０）。また，トナーが転写された用紙Ｐは，定着ベルト６３が定着処理温度以上である状態のときに，定着ニップＮ２を通過するように搬送される。
【００９７】
一方，判定制御において異常状態であると判定された場合（Ｓ２０３：ＮＯ），定着ヒーター制御部８は，通常モードから制限モードへと切り替える（Ｓ２０３）。制限モードへと切り替えられた場合，バイメタルヒーター制御部９は，バイメタルヒーター７３によるバイメタル７１の加熱を終了する（Ｓ２１０）。また，ＣＰＵ４は，制限モードに切り替えられた場合，画像形成のジョブの実行についても終了する。
【００９８】
なお，本形態においても，判定制御によりバイメタルヒーター７３が異常状態であると判定された場合には，バイメタルヒーター７３が異常状態であることをユーザーに警告することとしてもよい。
【００９９】
すなわち，本形態の定着装置６０についても，判定制御によりバイメタルヒーター７３が正常状態であると判定された場合には，通常モードを維持する。そして通常モードにより画像形成のジョブが実行される。一方，判定制御によりバイメタルヒーター７３が異常状態であると判定されたことによって初期設定モードを維持しない場合には，制限モードに切り替える。これにより，本形態の定着装置６０においても，バイメタルヒーター７３が正常状態および異常状態のいずれの状態であっても，第１の参考形態と同様，定着ヒーター６４による過熱が適切に抑制されている。
【０１００】
［第１の形態］
次に，第１の形態について説明する。本形態においても，画像形成装置の構成などについては，上記の形態と同じである。具体的には，画像形成装置の定着装置の構成，定着ヒーター制御部８により制御される通常モードや制限モード，バイメタルヒーター制御部９による判定制御などについては，上記の形態のものと同様である。本形態では，バイメタルの温度が高い場合に，バイメタルヒーターが正常状態であるか否かに関わらず，通常モードを維持する点について，上記の形態と異なる。
【０１０１】
図１０には，定着ヒーター６４の過熱が生じたときの温度推移を示している。ただし，図１０は，図５とは異なり，定着装置６０の温度が高い状態で加熱が開始されたときのものである。すなわち，図１０は，例えば，前回の画像形成のジョブの終了後，それほど時間が経過しておらず，定着装置６０の温度が低下していない場合である。このため，定着ベルト６３やバイメタル７１の温度が，前回の画像形成後，それほど低下していない状態で定着ヒーター６４の加熱が開始されたときのものである。
【０１０２】
また，図１０には，二点鎖線により定着ベルト６３の温度推移を，実線によりバイメタル７１の温度推移を示している。また，図１０において，実線は，バイメタルヒーター７３による加熱を行わなかった場合のバイメタル７１の温度推移である。
【０１０３】
図１０には，加熱開始時刻ｔ１における定着装置６０内の温度を，温度Ｔｇにより示している。つまり，図１０において，加熱開始時刻ｔ１における定着ベルト６３およびバイメタル７１の温度はともに，温度Ｔｇである。そして，定着ベルト６３の温度は，加熱開始時刻ｔ１より温度Ｔｇから上昇し，定着処理温度Ｔｃに到達した時刻ｔ３以降にも，定着ヒーター６４の過熱が生じていることにより，上昇し続けている。
【０１０４】
また，図１０においては，実線で示すバイメタル７１の温度は，バイメタルヒーター７３による加熱を行っていないにも関わらず，ほとんど定着ベルト６３と同じように上昇している。これは，加熱開始時刻ｔ１における定着装置６０内における温度Ｔｇが高いことによるものである。
【０１０５】
図３において前述したように，本形態のバイメタル７１は，温度Ｔｂ以上の温度であるときには，バイメタルヒーター７３による加熱を行わない場合であっても，定着ベルト６３の温度上昇率とほとんど同じ上昇率で温度が上昇するものである。このように，サーモスタットなどの感熱部は，一般的に，ある一定以上の温度である場合，温度上昇についての応答性が向上する特性を有している。
【０１０６】
そして，図１０に示すように，加熱開始時刻ｔ１におけるバイメタル７１の温度Ｔｇは，バイメタル７１の温度上昇についての応答性が向上する温度Ｔｂよりも高い温度である。このため，図１０においては，バイメタルヒーター７３による加熱を行っていないバイメタル７１の温度が，定着ヒーター６４の温度の上昇を適切に追従している。
【０１０７】
そして，図１０に示すように，実線で示すバイメタル７１の温度は，時刻ｔ５１において，作動温度Ｔｄに到達している。よって，時刻ｔ５１において，定着ヒーター６４が加熱不能状態とされる。また，図１０において，定着ヒーター６４が加熱不能状態とされる時刻ｔ５１における定着ベルト６３の温度Ｔｈは，バイメタル７１の温度が定着ヒーター６４の温度の上昇を適切に追従していることにより，それほど高いものではない。
【０１０８】
そこで，本形態の定着装置６０においては，バイメタル７１の温度が温度Ｔｂ以上である場合について，バイメタルヒーター７３が正常状態であるか否かに関わらず，通常モードを維持する。バイメタル７１が温度Ｔｂ以上であるときには，バイメタルヒーター７３による加熱が適切になされない場合であっても，定着ヒーター６４の過熱が生じた際に，定着ヒーター６４がそれほど高温になる前に，加熱不能状態にできるからである。
【０１０９】
次に，本形態の定着ヒーター制御部８による，定着処理時における通常モードと制限モードとの切り替えについて，図１１に示すフローチャートを用いて説明する。まず，本形態においても，画像形成装置１に画像形成のジョブが入力されると，ＣＰＵ４は，加熱を開始する指示を出力する（Ｓ３０１）。
【０１１０】
次に，本形態では，定着ヒーター制御部８は，温度出力部６８より温度センサー６６が検出した初期温度を取得する（Ｓ３０２）。初期温度は，定着ヒーター６４およびバイメタルヒーター７３がともに加熱を開始する前の温度である。また，温度センサー６６は，定着ベルト６３の温度を検出することができるものであり，その検出温度は，定着ベルト６３付近に設けられているバイメタル７１の温度を指標する温度である。すなわち，初期温度は，バイメタル７１の温度を指標するものである。
【０１１１】
次いで，バイメタルヒーター制御部９は，バイメタルヒーター７３によるバイメタル７１の加熱を開始する（Ｓ３０３）。また，定着ヒーター制御部８は，定着ヒーター６４による定着ベルト６３の加熱を開始する（Ｓ３０４）。なお，定着ヒーター制御部８は，初期設定モードである通常モードにより，定着ヒーター６４による加熱を開始する。
【０１１２】
続いて，定着ヒーター制御部８は，初期温度が予め定めた温度閾値以上であるか否かを判定する（Ｓ３０５）。具体的には，本形態の定着ヒーター制御部８は，温度Ｔｂを温度閾値とし，初期温度が温度Ｔｂ以上であるか否かを判定する。
【０１１３】
初期温度が温度閾値以上である場合（Ｓ３０５：ＹＥＳ），定着ヒーター制御部８は，初期設定モードである通常モードを維持する（Ｓ３０６）。そして，ＣＰＵ４は，定着ベルト６３の温度が定着処理温度以上となったとき（Ｓ３０７：ＹＥＳ），加熱を終了する指示を出力する（Ｓ３１０）。よって，定着ヒーター制御部８は，定着ヒーター６４による加熱を終了する（Ｓ３１１）。さらに，バイメタルヒーター制御部９は，バイメタルヒーター７３による加熱を終了する（Ｓ３１１）。また，トナーが転写された用紙Ｐは，定着ベルト６３が定着処理温度以上である状態のときに，定着ニップＮ２を通過するように搬送される。
【０１１４】
また，本形態の定着ヒーター制御部８は，初期温度が温度閾値未満であっても（Ｓ３０５：ＮＯ），バイメタルヒーター制御部９による判定制御によりバイメタルヒーター７３が正常状態であると判定された場合には（Ｓ３０８：ＹＥＳ），通常モードを維持する（Ｓ３０６）。そして，上記と同様，ステップＳ３０７，ステップＳ３１０，ステップＳ３１１の手順が行われる。
【０１１５】
一方，初期温度が温度閾値未満であり（Ｓ３０５：ＮＯ），かつ，判定制御において異常状態であると判定された場合（Ｓ３０８：ＮＯ），定着ヒーター制御部８は，通常モードから制限モードへと切り替える（Ｓ３０９）。制限モードへと切り替えられた場合，ＣＰＵ４は，加熱を終了する指示を出力する（Ｓ３１０）。これにより，定着ヒーター制御部８は，定着ヒーター６４による加熱を終了する（Ｓ３１１）。さらに，バイメタルヒーター制御部９は，バイメタルヒーター７３による加熱を終了する（Ｓ３１１）。また，ＣＰＵ４は，制限モードに切り替えられた場合，画像形成のジョブの実行についても終了する。
【０１１６】
なお，本形態においても，判定制御によりバイメタルヒーター７３が異常状態であると判定された場合には，バイメタルヒーター７３が異常状態であることをユーザーに警告することとしてもよい。
【０１１７】
図１１により説明したように，本形態の定着装置６０は，バイメタル７１の温度を指標する初期温度が温度閾値以上である場合には，判定制御に関わらず，通常モードを維持する。そして，通常モードにより画像形成のジョブが実行される。すなわち，本形態の定着装置６０は，バイメタルヒーター７３が異常状態であっても，バイメタル７１の温度が高い場合には，定着ヒーター６４による過熱を適切に抑制しつつ，定着処理を行うことができる。
【０１１８】
なお，本形態においても，バイメタル７１の温度を指標する初期温度が温度閾値未満である場合には，判定制御を行う。そして，判定制御によりバイメタルヒーター７３が正常状態であると判定された場合には，通常モードを維持する。そして通常モードにより画像形成のジョブが実行される。一方，判定制御によりバイメタルヒーター７３が異常状態であると判定されたことによって初期設定モードを維持しない場合には，制限モードに切り替える。これにより，本形態の定着装置６０においても，バイメタルヒーター７３が正常状態および異常状態のいずれの状態であっても，上記の形態と同様，定着ヒーター６４による過熱が適切に抑制されている。
【０１１９】
［第２の形態］
次に，第２の形態について説明する。本形態においても，画像形成装置の構成などについては，上記の形態と同じである。具体的には，画像形成装置の定着装置の構成，定着ヒーター制御部８による通常モード，バイメタルヒーター制御部９による判定制御などについては，上記の形態のものと同様である。本形態では，定着ヒーター制御部８による制限モードが，上記の形態と異なる。
【０１２０】
本形態の定着ヒーター制御部８による，定着処理時における通常モードと制限モードとの切り替えについて，図１２に示すフローチャートを用いて説明する。まず，本形態においても，画像形成装置１に画像形成のジョブが入力されると，ＣＰＵ４は，加熱を開始する指示を出力する（Ｓ４０１）。
【０１２１】
次に，本形態では，定着ヒーター制御部８は，温度出力部６８より温度センサー６６が検出した初期温度を取得する（Ｓ４０２）。初期温度は，定着ヒーター６４およびバイメタルヒーター７３がともに加熱を開始する前の温度である。初期温度は，本形態においてもの，第１の形態と同様，バイメタル７１の温度を指標するものである。
【０１２２】
次いで，バイメタルヒーター制御部９は，バイメタルヒーター７３によるバイメタル７１の加熱を開始する（Ｓ４０３）。また，定着ヒーター制御部８は，定着ヒーター６４による定着ベルト６３の加熱を開始する（Ｓ４０４）。なお，定着ヒーター制御部８は，初期設定モードである通常モードにより，定着ヒーター６４による加熱を開始する。
【０１２３】
続いて，定着ヒーター制御部８は，初期温度が予め定めた温度閾値以上であるか否かを判定する（Ｓ４０５）。具体的には，本形態の定着ヒーター制御部８についても，第１の形態と同様，温度Ｔｂを温度閾値とし，初期温度が温度Ｔｂ以上であるか否かを判定する。
【０１２４】
初期温度が温度閾値以上である場合（Ｓ４０５：ＹＥＳ），定着ヒーター制御部８は，初期設定モードである通常モードを維持する（Ｓ４０６）。バイメタル７１の温度が高いため，バイメタルヒーター７３が異常状態であっても，定着ヒーター６４による過熱を適切に抑制することができるからである。
【０１２５】
そして，ＣＰＵ４は，定着ベルト６３の温度が定着処理温度以上となったとき（Ｓ４１０：ＹＥＳ），加熱を終了する指示を出力する（Ｓ４１１）。よって，定着ヒーター制御部８は，定着ヒーター６４による加熱を終了する（Ｓ４１２）。さらに，バイメタルヒーター制御部９は，バイメタルヒーター７３による加熱を終了する（Ｓ４１２）。また，トナーが転写された用紙Ｐは，定着ベルト６３が定着処理温度以上である状態のときに，定着ニップＮ２を通過するように搬送される。
【０１２６】
また，本形態の定着ヒーター制御部８は，初期温度が温度閾値未満であっても（Ｓ４０５：ＮＯ），バイメタルヒーター制御部９による判定制御によりバイメタルヒーター７３が正常状態であると判定された場合には（Ｓ４０７：ＹＥＳ），通常モードを維持する（Ｓ４０６）。そして，上記と同様，ステップＳ４１０，ステップＳ４１１，ステップＳ４１２の手順が行われる。すなわち，本形態においても，初期温度が温度閾値以上である場合，および，初期温度が温度閾値未満であってもバイメタルヒーター７３が正常状態である場合については，第１の形態と同様である。
【０１２７】
一方，初期温度が温度閾値未満であり（Ｓ４０５：ＮＯ），かつ，判定制御において異常状態であると判定された場合（Ｓ４０７：ＮＯ），定着ヒーター制御部８は，通常モードから制限モードへと切り替える（Ｓ４０８）。本形態の定着ヒーター制御部８は，制限モードへと切り替えた場合，定着ヒーター６４の温度上昇率を，通常モードのときよりも低下させる（Ｓ４０９）。具体的には，定着ヒーター制御部８は，制限モードでは，定着ヒーター電源６７から定着ヒーター６４に供給される電力を，通常モードのときよりも少なくする。
【０１２８】
そして，本形態の制限モードでは，定着ヒーター６４の温度上昇率を通常モードのときよりも低下させつつ，定着処理を行う。すなわち，制限モードでは，定着ヒーター６４の温度上昇率を低下させつつ定着ベルト６３を加熱し，定着ベルト６３の温度が定着処理温度以上となったとき（Ｓ４１０：ＹＥＳ），ＣＰＵ４は，加熱を終了する指示を出力する（Ｓ４１１）。
【０１２９】
よって，定着ヒーター制御部８は，定着ヒーター６４による加熱を終了する（Ｓ４１２）。さらに，バイメタルヒーター制御部９は，バイメタルヒーター７３による加熱を終了する（Ｓ４１２）。また，トナーが転写された用紙Ｐは，定着ベルト６３が定着処理温度以上である状態のときに，定着ニップＮ２を通過するように搬送される。すなわち，本形態では，制限モードに切り替えられた場合でも，画像形成のジョブを続行することができる。
【０１３０】
なお，本形態においても，判定制御によりバイメタルヒーター７３が異常状態であると判定された場合には，バイメタルヒーター７３が異常状態であることをユーザーに警告することとしてもよい。
【０１３１】
図１３には，定着ヒーター６４の過熱が生じたときの温度推移を示している。ただし，図１３は，図５とは異なり，本形態の制限モードにおいて定着ヒーター６４の過熱が生じたときの温度推移を示している。
【０１３２】
図１３には，実線により制限モードへの切り替えが生じた場合の定着ベルト６３の温度推移を，破線によりバイメタル７１の温度推移を示している。なお，図１３には，二点鎖線により，図５に二点鎖線で示す温度推移と同じ，通常モードのままで過熱が生じたときの定着ベルト６３の温度推移を示している。また，破線は，図５に示す破線と同様，バイメタルヒーター７３による加熱を行わなかった場合のバイメタル７１の温度推移である。
【０１３３】
図１３に示すように，実線で示す定着ベルト６３の温度は，加熱開始時刻ｔ１より室温Ｔａから上昇し，時刻ｔ３１において，定着処理温度Ｔｃに到達している。ここで，加熱開始時刻ｔ１から時刻ｔ３１までの間の時刻ｔ１３は，通常モードから制限モードへの切り替えが生じたときの時刻である。よって，実線で示す定着ベルト６３の温度は，制限モードに切り替えられたことにより，その上昇率が低下している。このため，時刻ｔ３１は，通常モードのままの定着ベルト６３の温度が定着処理温度Ｔｃに到達する時刻ｔ３よりも後である。なお，実線で示すように，定着ベルト６３の温度は，定着処理温度Ｔｃに到達した以降にも，定着ヒーター６４の過熱が生じていることにより，上昇し続けている。
【０１３４】
また，図１３に示すように，バイメタルヒーター７３の加熱がないバイメタル７１の温度は，加熱開始時刻ｔ１の後，温度Ｔｂに到達する時刻ｔ２まで，ほとんど上昇していない。しかし，バイメタルヒーター７３の加熱がない場合のバイメタル７１の温度は，温度Ｔｂに到達した時刻ｔ２以降においては，時刻ｔ２の前よりも，高い上昇率で上昇している。そして，バイメタルヒーター７３の加熱がない場合のバイメタル７１の温度は，時刻ｔ５において，作動温度Ｔｄに到達している。このため，バイメタルヒーター７３の加熱がない場合には，時刻ｔ５において，定着ヒーター６４が加熱不能状態とされる。
【０１３５】
そして，図１３に示すように，定着ヒーター６４が加熱不能状態とされる時刻ｔ５において，制限モードに切り替えた場合の定着ベルト６３の温度Ｔｉは，通常モードのままである場合の温度Ｔｆよりも低い温度である。制限モードでは，定着ヒーター６４の温度上昇率を，通常モードのときよりも低下させているからである。また，温度Ｔｉは，作動温度Ｔｄよりも，それほど高い温度ではない。よって，本形態では，バイメタルヒーター７３が異常状態である場合でも，制限モードに切り替えることにより，定着ヒーター６４の過熱が生じたときに，定着ヒーター６４を適切に加熱不能状態にできるようにされている。
【０１３６】
なお，本形態においても，バイメタル７１の温度を指標する初期温度が温度閾値未満である場合には，判定制御を行う。そして，判定制御によりバイメタルヒーター７３が正常状態であると判定された場合には，通常モードを維持する。そして通常モードにより画像形成のジョブが実行される。一方，判定制御によりバイメタルヒーター７３が異常状態であると判定されたことによって初期設定モードを維持しない場合には，制限モードに切り替える。そして制限モードにより画像形成のジョブが実行される。これにより，本形態の定着装置６０においても，バイメタルヒーター７３が正常状態および異常状態のいずれの状態であっても，上記の形態と同様，定着ヒーター６４による過熱が適切に抑制されている。
【０１３７】
また，本形態においては，図１２に示すように，初期温度が温度閾値未満である場合に判定制御を行うこととした。しかし，初期温度による判定を行わずに判定制御を行ってもよい。その場合には，図１２において，ステップＳ４０２およびステップＳ４０５を行わないようにすればよい。すなわち，定着ヒーター６４の加熱を開始後（Ｓ４０４），判定制御を行うこととすればよい（Ｓ４０７）。
【０１３８】
また，本形態では，制限モードに切り替えた後，１度だけ，定着ヒーター６４の温度上昇率を低下させている。しかし，制限モードでは，複数回，定着ヒーター６４の温度上昇率を低下させることとしてもよい。この場合には，温度出力部６８より出力される定着ベルト６３の温度が高いときには，低いときよりも，定着ヒーター６４の温度上昇率が通常モードのときに対して低くなるように，定着ヒーター電源６７から定着ヒーター６４に供給される電力を制御すればよい。
【０１３９】
また，温度上昇率を低下させる場合，その温度上昇率を低下させる程度は，予め決めておくことができる。そして，定着ベルト６３の温度が高くなるほど温度上昇率を低下させることにより，定着ベルト６３の温度をより早く定着処理温度まで上昇させることができる。さらには，定着ヒーター６４の過熱が生じた場合には，温度上昇率が低いことにより，加熱不能状態となるときの温度を低減することができる。
【０１４０】
以上詳細に説明したように，本実施の形態の画像形成装置１は，定着装置６０を有している。定着装置６０は，定着処理時に定着ベルト６３を加熱する加熱源である定着ヒーター６４と，通電遮断部７０とを有している。通電遮断部７０は，バイメタル７１，接点部７２，バイメタルヒーター７３を有している。接点部７２は，感熱部であるバイメタル７１の温度が作動温度以上になったときには，定着ヒーター６４への電力供給を遮断することができる。また，定着ヒーター制御部８は，通常モードを初期設定モードとし，バイメタルヒーター制御部９が行う判定制御によりバイメタルヒーター７３が正常状態であると判定された場合には，通常モードを維持する。一方，通常モードを維持しない場合には，通常モードから制限モードに切り替える。これにより，加熱源である定着ヒーター６４による過熱を適切に抑制することができる定着装置および画像形成装置が実現されている。
【０１４１】
なお，本実施の形態は単なる例示にすぎず，本発明を何ら限定するものではない。従って本発明は当然に，その要旨を逸脱しない範囲内で種々の改良，変形が可能である。例えば，本発明はカラープリンターに限らず，例えば，公衆回線経由で印刷ジョブの送受信を行うような画像形成装置にも適用可能である。
【０１４２】
また例えば，画像形成装置１の定着装置は，上記で説明した定着装置６０と異なる構成のものであってもよい。つまり，電磁誘導加熱方式の定着装置など，その他の構成の定着装置においても本発明を適用することができる。また例えば，通電遮断部７０としては，バイメタル式以外のサーモスタットを用いることもできる。あるいは，通電遮断部７０として，感熱部が作動温度となったときに感熱部が溶断する温度ヒューズを用いてもよい。
【０１４３】
また第１の形態および第２の形態においては，バイメタル７１の温度を指標する初期温度として，温度センサー６６の検出値を用いている。しかし，バイメタル７１の温度を指標する値としては，温度センサー６６の検出値以外を用いることもできる。例えば，バイメタル７１までの距離が温度センサー６６よりも近い位置に温度検出センサーを設け，その温度検出センサーの検出値をバイメタル７１の温度を指標する値として用いることもできる。
【０１４４】
あるいは，バイメタル７１の温度を指標する値として，バイメタルヒーター７３として温度により抵抗値の異なるものを用いた場合，電力指標値出力部７４が出力する電力指標値を用いることもできる。電力指標値は，バイメタルヒーター７３の抵抗値との相関があるからである。また，バイメタルヒーター７３は，バイメタル７１に近い位置に配置されているからである。この場合，まず，バイメタルヒーター７３の電力指標値と温度との関係を予め実験などにより取得しておき，その関係を本体に付属されている不揮発性メモリ５に記憶させておく。そして，バイメタルヒーター７３に電流を流しつつ，その間の電力指標値を検出し，その検出された電力指標値により不揮発性メモリ５を参照することで，バイメタルヒーター７３の温度を定めることができる。
【０１４５】
また，バイメタル７１の初期温度としては，前回の定着処理時に定着ヒーター６４による加熱が行われていた前回加熱時間，および，前回の定着処理が終了してから今回の定着処理が開始されるまでの休止時間により推定することも可能である。
【０１４６】
前回の定着処理時における定着ヒーター６４の前回加熱時間が長かった場合，バイメタル７１の温度は十分に上昇していたと考えられる。さらに，前回加熱時間が長く，今回の定着処理が開始されるまでの休止時間が短かった場合には，前回の定着処理時に十分に上昇したバイメタル７１の温度が，それほど低下していないと推定できるからである。一方，前回加熱時間が短かった場合には，バイメタル７１の温度はそれほど上昇していないと考えられる。また，休止時間が長かった場合には，今回の定着処理の開始時までに，バイメタル７１の温度は低下してしまっていると考えられる。
【０１４７】
よって，前回加熱時間が長く，かつ，休止時間が短かった場合には，今回の定着処理の開始時において，バイメタルヒーター７３の温度は加熱実行温度以上であると推定することができる。よって，前回加熱時間が前回加熱時間について予め定めた閾値よりも長く，かつ，休止時間が休止時間について予め定めた閾値よりも短い場合には，バイメタル７１の初期温度が温度閾値以上であると判定することができる。これに対し，前回加熱時間が短かった場合，または，休止時間が長かった場合には，バイメタル７１の初期温度が温度閾値未満であると判定することができる。
【０１４８】
さらに，バイメタル７１の温度は，前回加熱時間として，前回の定着処理時にバイメタルヒーター７３による加熱が行われていた時間を用いて推定することもできる。この場合にも，前回加熱時間として前回の定着処理時に定着ヒーター６４による加熱が行われていた時間を用いる上記の場合と同様である。
【符号の説明】
【０１４９】
１  画像形成装置
１０Ｙ，１０Ｍ，１０Ｃ，１０Ｋ  画像形成部
８  定着ヒーター制御部
９  バイメタルヒーター制御部
６０  定着装置
６１  加圧ローラー
６２  定着パッド
６３  定着ベルト
６４  定着ヒーター
７０  通電遮断部
７１  バイメタル
７２  接点部
７３  バイメタルヒーター
７４  電力指標値出力部
Ｎ２  定着ニップ
Ｐ  用紙
【図１】
0006507831.tif 000002
【図２】
0006507831.tif 000003
【図３】
0006507831.tif 000004
【図４】
0006507831.tif 000005
【図５】
0006507831.tif 000006
【図６】
0006507831.tif 000007
【図７】
0006507831.tif 000008
【図８】
0006507831.tif 000009
【図９】
0006507831.tif 000010
【図１０】
0006507831.tif 000011
【図１１】
0006507831.tif 000012
【図１２】
0006507831.tif 000013
【図１３】
0006507831.tif 000014